(57)【要約】【課題】複数のＵＳＢメモリが複数のＵＳＢコネクタに装着された場合に誤ったＵＳＢメモリに対するアクセスを防止することが可能な画像形成装置を提供する。【解決手段】ＵＳＢメモリのジョブの受付が許可状態であるかどうかを判断する（ステップＳ２０）。ＵＳＢメモリジョブ受付許可状態である場合には次のステップＳ２２に進み、ＵＳＢメモリジョブ選択表示処理を実行する。ＵＳＢメモリジョブ受付禁止状態である場合にはステップＳ２１に進む。ＵＳＢメモリジョブ受付禁止状態である場合には、ＵＳＢメモリ複数装着禁止表示処理を実行する（ステップＳ２１）。ＵＳＢメモリジョブ受付禁止状態である場合には、当該表示画面が継続して表示されることになる。したがって、ユーザに対して当該表示画面を表示してＵＳＢメモリの装着の確認を促すことになる。【選択図】図５
2009021948.tif 000002
【特許請求の範囲】
【請求項１】
複数の着脱式記憶装置を装着可能な複数の着脱部と、
原稿を読み取る原稿読取部と、
前記複数の着脱部と前記着脱式記憶装置との接続状況を検知する検知部とを備え、
前記複数の着脱式記憶装置が前記複数の着脱部に接続されていることが検知された場合には、前記原稿読取部の動作は禁止される、画像形成装置。
【請求項２】
複数の着脱式記憶装置を装着可能な複数の着脱部と、
前記着脱部に前記着脱式記憶装置が接続されている場合に電子データを前記着脱式記憶装置に書き込む書込部と、
前記複数の着脱部と前記着脱式記憶装置との接続状況を検知する検知部とを備え、
前記複数の着脱式記憶装置が前記複数の着脱部に接続されていることが検知された場合には、前記電子データを前記着脱式記憶装置に書き込む動作は禁止される、画像形成装置。
【請求項３】
複数の着脱式記憶装置を装着可能な複数の着脱部と、
前記着脱部に前記着脱式記憶装置が接続されている場合には前記着脱式記憶装置内の電子データを記着脱式記憶装置から読み出す読出部と、
読み出した電子データを印刷する印刷手段と、
前記複数の着脱部と前記着脱式記憶装置との接続状況を検知する検知部とを備え、
前記複数の着脱式記憶装置が前記複数の着脱部に接続されていることが検知された場合には、前記電子データを印刷する動作は禁止される、画像形成装置。
【請求項４】
各前記着脱部は、指示に応答して点灯する点灯部を有し、
操作画面を有する操作部と、
前記点灯部を制御する点灯制御部とをさらに備え、
前記操作画面には、前記複数の着脱式記憶装置が前記複数の着脱部に接続されている場合には、前記複数の着脱式記憶装置のうちのいずれか１つの選択を促す選択画面が表示され、
前記操作画面の前記選択画面において、前記複数の着脱式記憶装置のうちのいずれか１つの選択が実行されると、前記点灯制御部は、対応する着脱式記憶装置の点灯部を点滅させる、請求項１〜３に記載の画像形成装置。
【請求項５】
操作画面を有する操作部をさらに備え、
前記操作画面において、前記複数の着脱部の外観を表わすモデルを操作画面に表示するとともに、前記複数の着脱式記憶装置のいずれか１つの選択を促す選択画面が表示される、請求項１〜３に記載の画像形成装置。
【請求項６】
操作画面を有する操作部をさらに備え、
前記操作画面において、前記複数の着脱部に格納された文書ファイルリストを選択指示に応答してそれぞれ表示するとともに、前記複数の着脱式記憶装置のいずれか１つの選択を促す選択画面が表示される、請求項１〜３に記載の画像形成装置。
【請求項７】
前記操作画面の前記選択画面において、前記複数の着脱式記憶装置のうちのいずれか１つの選択が実行されると、選択された着脱式記憶装置が特定されて、特定された着脱式記憶装置に対するアクセスが実行される、請求項４〜６に記載の画像形成装置。
【請求項８】
操作画面を有する操作部をさらに備え、
前記着脱式記憶装置のアクセス中に新たな着脱式記憶装置が接続されたことを検知した場合には、前記操作画面において新たな着脱式記憶装置の取り外しを促す表示処理を実行する、請求項１〜３に記載の画像形成装置。
【請求項９】
前記画像形成装置の前面に操作画面を有する操作部が設けられ、
前記画像形成装置を制御する制御基板は、前記画像形成装置の前面と反対側の背面側に設けられ、
前記複数の着脱部は、前記背面側に設けられた制御基板近傍に設けられる、請求項１〜８に記載の画像形成装置。
【発明の詳細な説明】
【技術分野】
【０００１】
この発明は画像形成装置に関し、特に、ＵＳＢ（Universal Serial Bus）メモリを装着することが可能なＵＳＢコネクタを備えた画像形成装置に関する。
【背景技術】
【０００２】
近年、ＵＳＢメモリの普及により、ユーザがＵＳＢメモリに文書データを保存し常時持ち歩くケースが増えている。
【０００３】
このような場合に対応するために画像形成装置の一例であるＭＦＰ（Multifunction Peripheral）において保存したＵＳＢメモリ内の文書をＭＦＰで印刷するいわゆるＵＳＢメモリプリント機能および紙媒体の資料を電子化してＵＳＢコネクタに装着したＵＳＢメモリに保存するいわゆるScanToUSBメモリ（ＵＳＢメモリスキャンとも称する）機能を搭載したＭＦＰが増大してきている。
【０００４】
一方でＭＦＰの多機能化に伴いＵＳＢコネクタに外部デバイスを接続して機能を拡張するケースが増えている。
【０００５】
たとえばＵＳＢキーボード、ＵＳＢ−ＩＣカードリーダ、ＵＳＢ指紋認証装置、ＵＳＢマウス等が挙げられる。これら機能拡張のためにＭＦＰに複数のＵＳＢコネクタが搭載されることが一般的となってきている。
【０００６】
このような状況において、ＭＦＰの複数のＵＳＢコネクタに複数のＵＳＢメモリを装着する場合が考えられる。
【０００７】
たとえば、ＵＳＢメモリプリントを実行したユーザが出力した紙媒体のみを持ち帰り、ＵＳＢメモリ自身をＭＦＰに装着したままＭＦＰから離れてしまう場合が考えられる。このような状況の場合、次のScanToUSBメモリを実行する別のユーザが次のＵＳＢメモリをＵＳＢコネクタにセットした場合に複数のＵＳＢメモリが複数のＵＳＢコネクタに装着されることになる。
【０００８】
また、別の例としてScanToUSBメモリを実行中のユーザにおいて、大量の原稿のスキャン動作完了後、画像データをＰＤＦ等のフォーマットへ変換してそしてＵＳＢメモリの書込動作を実行中にＭＦＰを離れるような場合が考えられる。大量の原稿の画像データの変換および書込動作の処理に時間がかかる可能性があるからである。
【０００９】
このような状況の場合、次のScanToUSBメモリを実行する別のユーザが次のＵＳＢメモリをＵＳＢコネクタにセットした場合に複数のＵＳＢメモリが複数のＵＳＢコネクタに装着されることになる。
【００１０】
このとき、ＭＦＰ側のジョブはどちらのＵＳＢメモリにアクセスすればよいか判断することができない可能性があり、適切な処置を施さなければ誤ったＵＳＢメモリからのデータの読出あるいはデータの書込動作を実行してしまう可能性がある。
【００１１】
特開２００５−１３１８２５号公報においては、複数の入力ポートにおいて入力ポートに対して優先順位を付けて画像データの入力回数が多い方を優先ポートとすることにより、複数の入力ポートにおける誤ったデータの授受を防止する方式が開示されている。
【特許文献１】特開２００５−１３１８２５号公報
【発明の開示】
【発明が解決しようとする課題】
【００１２】
しかしながら、当該公報に記載される方式を採用した場合、複数のポートにＵＳＢメモリが装着された場合、画像データをＵＳＢメモリからロードした回数が多い方をアクセスするので、ロード回数が多いポートにＵＳＢメモリが装着されている状態で、別のポートに装着される別のＵＳＢメモリからの印刷を実行すると、既に装着されていたＵＳＢメモリから画像データをロードして印刷を実行するためユーザが望む印刷を実行することができない可能性がある。
【００１３】
また、このような場合、印刷した画像データが他人の機密書類であった場合には、印刷指示したユーザの目に触れてしまう可能性がありセキュリティ上の問題も発生する。
【００１４】
さらに、ＭＦＰとしての構造上、通常ＭＦＰの前面側に操作ディスプレイが配置され、背面側にマシンを制御する基板パネルが設けられることが一般的である。
【００１５】
ＵＳＢコネクタについても基板パネルとの配線経路を短くするためにＭＦＰの背面側に配置されることが多く、ＭＦＰの背面側は操作ディスプレイから離れていてＵＳＢコネクタが見渡しにくい等の問題があり、ユーザがＵＳＢメモリが複数装着されていることに気付かないことが多く、上記のような問題が発生する可能性が高い。
【００１６】
本発明は上記のような問題を解決するためになされたものであって、複数のＵＳＢメモリが複数のＵＳＢコネクタに装着された場合に誤ったＵＳＢメモリに対するアクセスを防止することが可能な画像形成装置を提供することを目的とする。
【課題を解決するための手段】
【００１７】
本発明に係る画像形成装置は、複数の着脱式記憶装置を装着可能な複数の着脱部と、原稿を読み取る原稿読取部と、複数の着脱部と着脱式記憶装置との接続状況を検知する検知部とを備える。複数の着脱式記憶装置が複数の着脱部に接続されていることが検知された場合には、原稿読取部の動作は禁止される。
【００１８】
本発明に係る別の画像形成装置は、複数の着脱式記憶装置を装着可能な複数の着脱部と、着脱部に着脱式記憶装置が接続されている場合に電子データを着脱式記憶装置に書き込む書込部と、複数の着脱部と着脱式記憶装置との接続状況を検知する検知部とを備える。複数の着脱式記憶装置が複数の着脱部に接続されていることが検知された場合には、電子データを着脱式記憶装置に書き込む動作は禁止される。
【００１９】
本発明に係るさらに別の画像形成装置は、複数の着脱式記憶装置を装着可能な複数の着脱部と、着脱部に着脱式記憶装置が接続されている場合には着脱式記憶装置内の電子データを記着脱式記憶装置から読み出す読出部と、読み出した電子データを印刷する印刷手段と、複数の着脱部と着脱式記憶装置との接続状況を検知する検知部とを備える。複数の着脱式記憶装置が複数の着脱部に接続されていることが検知された場合には、電子データを印刷する動作は禁止される。
【００２０】
好ましくは、各着脱部は、指示に応答して点灯する点灯部を有し、操作画面を有する操作部と、点灯部を制御する点灯制御部とをさらに備え、操作画面には、複数の着脱式記憶装置が複数の着脱部に接続されている場合には、複数の着脱式記憶装置のうちのいずれか１つの選択を促す選択画面が表示され、操作画面の選択画面において、複数の着脱式記憶装置のうちのいずれか１つの選択が実行されると、点灯制御部は、対応する着脱式記憶装置の点灯部を点滅させる。
【００２１】
好ましくは、操作画面を有する操作部をさらに備え、操作画面において、複数の着脱部の外観を表わすモデルを操作画面に表示するとともに、複数の着脱式記憶装置のいずれか１つの選択を促す選択画面が表示される。
【００２２】
好ましくは、操作画面を有する操作部をさらに備え、操作画面において、複数の着脱部に格納された文書ファイルリストを選択指示に応答してそれぞれ表示するとともに、複数の着脱式記憶装置のいずれか１つの選択を促す選択画面が表示される。
【００２３】
特に、操作画面の選択画面において、複数の着脱式記憶装置のうちのいずれか１つの選択が実行されると、選択された着脱式記憶装置が特定されて、特定された着脱式記憶装置に対するアクセスが実行される。
【００２４】
好ましくは、操作画面を有する操作部をさらに備え、着脱式記憶装置のアクセス中に新たな着脱式記憶装置が接続されたことを検知した場合には、操作画面において新たな着脱式記憶装置の取り外しを促す表示処理を実行する。
【００２５】
好ましくは、画像形成装置の前面に操作画面を有する操作部が設けられ、
画像形成装置を制御する制御基板は、画像形成装置の前面と反対側の背面側に設けられ、複数の着脱部は、背面側に設けられた制御基板近傍に設けられる。
【発明の効果】
【００２６】
本発明に係る画像形成装置は、複数の着脱式記憶装置が複数の着脱部に接続されていることが検知された場合には、原稿読取部の動作は禁止される。したがって、複数の着脱式記憶装置を装着した場合においては、原稿読取部の動作を禁止して、ユーザの操作を禁止させることにより、誤った着脱式記憶装置にデータが書込まれることを防止することができる。
【発明を実施するための最良の形態】
【００２７】
以下に、図面を参照しつつ、本発明の実施の形態について説明する。以下の説明においては同一の部品および構成要素には同一の符号を付してある。それらの名称および機能も同一であるものとする。
【００２８】
（実施の形態１）
図１は、本発明の実施の形態１に従う画像形成装置であるＭＦＰ１の概略ブロック図である。
【００２９】
図１を参照して、本発明の実施の形態１に従うＭＦＰ１は、紙媒体等の資料を電子データに変換するスキャナ部５と、ハードディスクドライブ（ＨＤＤ）１０と、印刷処理を実行するプリンタ部１５と、各々ＵＳＢメモリを装着するためのＵＳＢコネクタＣＮ１〜ＣＮ３と、ＵＳＢコネクタＣＮ１〜ＣＮ３とＵＳＢメモリとの接続制御を実行するＵＳＢメモリ接続部２０と、操作ディスプレイを含む操作パネル部２５と、ＭＦＰ全体を制御するためのコントロール部３０とを備える。
【００３０】
ＵＳＢメモリ接続部２０は、ＵＳＢメモリがＵＳＢコネクタＣＮ１〜ＣＮ３に装着された場合には当該装着を検知して検知信号をＵＳＢメモリステータス管理部６５に出力する。
【００３１】
コントロール部３０は、ＭＦＰ１のジョブを制御するジョブ制御部５０と、ジョブ制御部５０からの指示に応答して、スキャナ部５を制御するためのスキャナ制御部３５と、画像処理を実行する画像制御部４０と、プリンタ部１５を制御するプリンタ制御部４５と、ＵＳＢメモリ接続部２０を介してＵＳＢメモリに対するアクセスを実行するＵＳＢ制御部６０と、ＵＳＢメモリの装着状態を管理するＵＳＢメモリステータス管理部６５と、画像データに対してフォーマット変換する画像変換部５５と、操作パネル部２５にユーザが操作するのに必要な表示内容を表示指示するとともに操作パネル部２５からの操作入力に対する指示をジョブ制御部５０に出力するパネル制御部７０とを含む。
【００３２】
画像制御部４０は、スキャナ制御部３５を介してスキャナ部５でスキャニング処理された電子データである画像データの入力あるいは画像変換部５５からの画像データの入力を受けて、画像処理後、ジョブ制御部５０の指示に応じて、ＨＤＤ１０に対して書込処理を実行するあるいはプリンタ制御部４５に出力するあるいは画像変換部５５に出力する。
【００３３】
プリンタ制御部４５は、画像制御部４０からの画像データの入力を受けてプリンタ部１５に対して印刷指示する。プリンタ部１５は、プリンタ制御部４５により印刷指示された画像データについての印刷処理を実行する。
【００３４】
画像変換部５５は、ジョブ制御部５０からの指示に応答して、画像制御部４０から入力された画像データを所定のフォーマットに変換してＵＳＢ制御部６０に出力する。あるいはＵＳＢ制御部６０を介して入力されるＵＳＢメモリからの画像データを所定のフォーマットに変換して画像制御部４０に出力する。
【００３５】
ＵＳＢ制御部６０は、ジョブ制御部５０からの指示に応答して、画像変換部５５からフォーマット変換された画像データをＵＳＢメモリ接続部２０により接続制御されたＵＳＢコネクタを介してＵＳＢメモリに対して出力し、当該ＵＳＢメモリに対して書込処理を実行する。また、ＵＳＢ制御部６０は、ジョブ制御部５０からの指示に応答して、ＵＳＢメモリ接続部２０により接続制御されたＵＳＢコネクタを介してＵＳＢメモリから画像データの読出処理を実行する。
【００３６】
ＵＳＢメモリステータス管理部６５は、ＵＳＢメモリ接続部２０からのＵＳＢメモリの装着状態を指し示す検知信号を受けてＵＳＢメモリの装着状態を管理する。ＵＳＢメモリステータス管理部６５は、複数のＵＳＢメモリがＵＳＢコネクタＣＮ１〜ＣＮ３の少なくともいずれか２つに接続されていると判断した場合には、その情報をジョブ制御部５０に出力する。
【００３７】
パネル制御部７０は、操作パネル部２５における操作ディスプレイに対して、表示する表示内容を出力するとともに操作パネル部２５からの操作入力に対する指示をジョブ制御部５０に対して出力する。
【００３８】
ジョブ制御部５０は、パネル制御部７０からの操作入力に対する指示に従ってＭＦＰ１が有する種々の機能（ジョブ）を実行するために各制御部等に対して動作指示を出力する。
【００３９】
図２は、本発明の実施の形態１に従うＭＦＰ１の外観構成図の模式図である。
図２を参照して、ここで示されているようにＭＦＰ１の前面側において操作パネル部２５に含まれる操作ディスプレイが示されており、操作ディスプレイはタッチパネル形式で操作入力が可能な構成となっている。なお、操作ディスプレイ以外にも図示しないが実行動作を指示するためのスタートキーや数字入力を実行するための数字キー等が操作パネル部２５に設けられているものとする。
【００４０】
また、図２に示される構成においては、ＭＦＰの前面側に操作ディスプレイ等の操作パネルが設けられ、ＭＦＰの背面側にコントロール部３０等が実装された基板パネル３が地面に対して垂直な方向に設けられる場合が示されており、基板パネル３との配線経路を短くするために図示しないがＵＳＢコネクタについてもＭＦＰの背面側に配置されるとともに基板パネル３の近傍に設けられるものとする。
【００４１】
図３は、本発明の実施の形態１に従うＵＳＢメモリステータス管理部６５において、ＵＳＢの装着状態を管理する処理を説明するフロー図である。
【００４２】
図３を参照して、まずＵＳＢメモリ接続部２０からのＵＳＢメモリの検知信号があったか否かを判断する（ステップＳ１）。
【００４３】
ＵＳＢメモリ接続部２０は、ＵＳＢコネクタＣＮ１〜ＣＮ３の少なくともいずれか１つにＵＳＢメモリが装着された場合において、ＵＳＢメモリ接続部２０はその接続を検知して検知信号をＵＳＢメモリステータス管理部６５に出力する。
【００４４】
ステップＳ１において、ＵＳＢメモリ接続部２０からのＵＳＢメモリの検知信号があったと判断された場合には、次にＵＳＢメモリの装着数を確認する（ステップＳ２）。
【００４５】
ＵＳＢメモリの装着数が２個以上であるかどうかを判断する（ステップＳ３）。
ステップＳ３において、ＵＳＢのメモリ装着数が２個以上であると判断された場合には、ＵＳＢメモリステータス管理部６５が有している記憶領域に記録されるＵＳＢメモリ複数装着状態を「True」に設定する（ステップＳ４）。
【００４６】
一方、ステップＳ３においてＵＳＢメモリ装着数が２個以上ではないと判断された場合には、ＵＳＢメモリステータス管理部６５が有している記憶領域に記録されるＵＳＢメモリ複数装着状態を「False」に設定する。そして、処理を終了する（エンド）。
【００４７】
当該ＵＳＢ装着状態管理処理は、所定タイミングで定期的に実行されるものとする。
次に、ジョブ制御部５０における定期監視処理について説明する。
【００４８】
図４は、本発明の実施の形態１に従うジョブ制御部５０において、ＵＳＢメモリの装着状態を監視する処理を説明するフロー図である。当該定期監視処理についても所定タイミングで定期的に実行されるものとする。
【００４９】
まず、ＵＳＢメモリステータス管理部６５へＵＳＢメモリ複数装着状態を問合せする（ステップＳ１０）。
【００５０】
そして次に、ＵＳＢメモリ複数装着状態＝「True」であるかどうかを判断する（ステップＳ１１）。
【００５１】
ステップＳ１１において、ＵＳＢメモリ複数装着状態が「True」であるならば、ＵＳＢメモリのジョブの受付を禁止状態（ＵＳＢメモリジョブ受付禁止状態）に設定する（ステップＳ１２）。
【００５２】
一方、ステップＳ１１においてＵＳＢメモリ複数装着状態が「True」ではない場合すなわち「False」である場合には、ＵＳＢメモリのジョブの受付を許可状態（ＵＳＢメモリジョブ受付許可状態）に設定する（ステップＳ１３）。そして、処理を終了する（エンド）。
【００５３】
次に、ＵＳＢメモリのアクセス処理について説明する。
図５は、本発明の実施の形態１に従うＵＳＢメモリアクセス処理を説明するフロー図である。
【００５４】
まず、ステップＳ２０において、ＵＳＢメモリのジョブの受付が許可状態であるかどうかを判断する（ステップＳ２０）。
【００５５】
ステップＳ２０において、ＵＳＢメモリのジョブの受付が許可状態（ＵＳＢメモリジョブ受付許可状態）である場合には次のステップＳ２２に進み、ＵＳＢメモリのジョブ選択の表示処理（ＵＳＢメモリジョブ選択表示処理）を実行する。
【００５６】
図６は、本発明の実施の形態１に従うＵＳＢメモリのジョブ選択の表示画面（ＵＳＢメモリジョブ選択表示画面）を説明する図である。
【００５７】
図６を参照して、操作ディスプレイ画面１００において「ＵＳＢメモリが装着されました。モードを選択して下さい。」の表示とともにＵＳＢメモリプリントの機能を実行を指示する操作ボタン１０１とＵＳＢメモリスキャンを実行を指示する操作ボタン１０２とがそれぞれ示されている。ユーザは、操作ディスプレイ画面１００上に示される操作ボタン１０１，１０２について選択指示することにより選択した機能を実行することができる。
【００５８】
再び図５を参照して、ＵＳＢメモリのジョブの受付が許可状態ではない場合、すなわちＵＳＢメモリのジョブの受付が禁止状態（ＵＳＢメモリジョブ受付禁止状態）である場合にはステップＳ２１に進む。
【００５９】
ステップＳ２１において、ＵＳＢメモリジョブ受付禁止状態である場合には、ＵＳＢメモリの複数の装着の禁止を示す表示処理（ＵＳＢメモリ複数装着禁止表示処理）を実行する（ステップＳ２１）。
【００６０】
図７は、本発明の実施の形態１に従うＵＳＢメモリの複数の装着の禁止を示す表示画面（ＵＳＢメモリ複数装着禁止表示画面）を説明する図である。
【００６１】
図７に示されるように、操作ディスプレイ画面１０５において、「ＵＳＢメモリが複数装着されています。不要なメモリを抜いて下さい。」が表示される。そして、再びステップＳ２０に戻る。
【００６２】
ここで、ＵＳＢメモリジョブ受付禁止状態である場合には、当該表示画面が継続して表示されることになる。したがって、ユーザに対して当該表示画面を表示してＵＳＢメモリの装着の確認を促すことになる。そして、ユーザは、ＵＳＢメモリを１つに装着し直すことにより、ＵＳＢメモリジョブ受付禁止状態をＵＳＢメモリジョブ受付許可状態とし、図５におけるステップＳ２０から次のステップＳ２２の表示処理であるＵＳＢメモリジョブ選択表示画面へと移行することが可能である。
【００６３】
再び図５を参照して、次に、ＵＳＢメモリジョブ選択表示処理（ステップＳ２２）が実行された後、次にＵＳＢメモリジョブ受付許可状態であるかどうかを判断する（ステップＳ２３）。
【００６４】
ステップＳ２３において、ＵＳＢメモリジョブ受付許可状態である場合には次のステップＳ２４に進み、ステップＳ２３においてＵＳＢメモリジョブ受付許可状態ではない場合にはステップＳ２５に進む。
【００６５】
ステップＳ２５は、上述したステップＳ２１で説明したのと同様にＵＳＢメモリ複数装着禁止表示処理を実行する。そして、再びステップＳ２３に戻る。
【００６６】
上述したようにステップＳ２３において、ＵＳＢメモリが複数装着された状態が解除されない限り、すなわちＵＳＢメモリジョブ受付許可状態となるまでＵＳＢメモリ複数装着禁止表示処理が実行されることになる。
【００６７】
ここで、例えば、ステップＳ２０において、ＵＳＢメモリジョブ受付許可状態であって、ＵＳＢメモリジョブ選択表示処理が実行された後に、例えば、複数のＵＳＢメモリが装着された場合においても、ＵＳＢメモリ複数装着禁止表示処理が実行されるためＵＳＢメモリジョブ受付禁止状態である場合には、当該表示画面が継続して表示されることになる。したがって、ユーザに対して当該表示画面を表示してＵＳＢメモリの装着の確認を促すことになる。そして、ユーザは、ＵＳＢメモリを１つに装着し直すことにより、ＵＳＢメモリジョブ受付禁止状態をＵＳＢメモリジョブ受付許可状態とし、図５におけるステップＳ２３から次のステップＳ２４に移行することが可能である。
【００６８】
ステップＳ２３において、ＵＳＢメモリジョブ受付許可状態である場合には、ＵＳＢメモリプリント／ＵＳＢメモリスキャンの指示が有ったかどうかが判断される（ステップＳ２４）。
【００６９】
ステップＳ２４において、ＵＳＢメモリプリント／ＵＳＢメモリスキャンの指示がなかった場合には再びステップＳ２３に戻る。
【００７０】
ステップＳ２４において、ＵＳＢメモリプリント／ＵＳＢメモリスキャンのいずれか一方に対して指示があった場合には、次のステップＳ２６に進む。ステップＳ２６において、選択指示がＵＳＢメモリプリント／ＵＳＢメモリスキャンのいずれかが判断される（ステップＳ２６）。
【００７１】
ステップＳ２６において、ＵＳＢメモリスキャンの指示が実行された場合にはＵＳＢメモリスキャン処理を実行する（ステップＳ２７）。そして、処理を終了する（エンド）。
【００７２】
ステップＳ２６において、ＵＳＢメモリプリントの指示が実行された場合には、ＵＳＢメモリプリント処理を実行する（ステップＳ２８）。そして、処理を終了する（エンド）。
【００７３】
図８は、本発明の実施の形態１に従うＵＳＢメモリスキャン処理について説明するフロー図である。
【００７４】
図８を参照して、まずスキャンモードの選択画面の表示処理（スキャンモード選択画面表示処理）を実行する（ステップＳ３０）。
【００７５】
図９は、本発明の実施の形態１に従うスキャンモードの選択画面を説明する図である。
図９を参照して、操作ディスプレイ画面１１０において「スキャンモードを選択して下さい。」の表示とともに、解像度の選択表示画面１１１と、フォーマット形式の選択表示画面１１２とが示されている。
【００７６】
解像度の表示画面１１１においては、６００ｄｐｉ、４００ｄｐｉ、２００ｄｐｉについて選択可能なようにそれぞれ操作ボタンが配置されている。
【００７７】
フォーマット形式の選択表示画面１１２においては、ＰＤＦ、ＪＰＥＧ、ＴＩＦＦのファイルフォーマット形式についてそれぞれ選択可能なように操作ボタンが配置されている。
【００７８】
再び、図８を参照して、次にスキャンモードの選択入力が有ったかどうかが判断される（ステップＳ３１）。例えば、上述のスキャンモード選択画面において、解像度およびフォーマット形式が選択されて、例えばスタートキーの入力が有った場合にスキャンモードの選択入力が有ったと判断することが可能である。
【００７９】
スキャンモード選択入力が有った場合にはスキャン処理を開始する（ステップＳ３２）。一方、ステップＳ３１においてスキャンモード選択入力が無い場合にはステップＳ３１の状態を維持する。
【００８０】
次に、スキャン中画面の表示処理を実行する（ステップＳ３３）。
図１０は、本発明の実施の形態１に従う操作ディスプレイ画面１１５においてスキャン中画面を説明する図である。
【００８１】
図１０を参照して、操作ディスプレイ画面１１５において「画像スキャン中です。ＵＳＢメモリの差込／抜取りをしないで下さい。」の表示が実行される。当該表示処理により、ユーザに対して、ＵＳＢメモリスキャン処理開始後、処理が完了するまでＵＳＢメモリの抜き取りあるいは新たな装着の禁止を促してＵＳＢメモリに対する誤操作が生じないように抑制することが可能である。
【００８２】
そして再び図８を参照して、次にスキャン処理を終了する（ステップＳ３４）。
そして、次にＵＳＢメモリジョブ受付許可状態であるかどうかを判断する（ステップＳ３５）。ステップＳ３５において、ＵＳＢメモリジョブ受付許可状態である場合には次にＵＳＢメモリ書込処理を実行する（ステップＳ３６）。そして、処理を終了する（エンド）
一方、ステップＳ３５においてＵＳＢメモリジョブ受付許可状態ではない場合には、ハードディスクドライブ（ＨＤＤ）に書込処理を実行する（ステップＳ３７）。
【００８３】
例えば、スキャン処理中にユーザが、新たなＵＳＢメモリを装着した場合には、ＵＳＢメモリが複数装着された状態となるためスキャンした画像データをいずれのＵＳＢメモリに書き込むか否かの判断ができない可能性がある。したがって、ＵＳＢメモリが複数装着された状態であると判断された場合には、一旦ＨＤＤに画像データを記憶させる方式となっている。そして、後述するが再書込の指示があった場合には、ＨＤＤから記憶した画像データを出力して、ＵＳＢメモリに対する書込処理を実行することによりスキャン処理のやり直し等の作業効率の低下を抑制することができる。
【００８４】
そして、次にＵＳＢメモリジョブ受付許可状態であるかどうかを判断する（ステップ３９）。
【００８５】
ステップＳ３９において、ＵＳＢメモリジョブ受付許可状態である場合には、ＵＳＢメモリ再書込選択画面表示処理を実行する（ステップＳ４０）。
【００８６】
一方、ステップＳ３９において、ＵＳＢメモリジョブ受付許可状態でない場合には、上述したＵＳＢメモリ複数装着禁止表示処理を実行する（ステップＳ３８）。
【００８７】
ここで、例えば、ステップＳ３９において、ＵＳＢメモリジョブ受付許可状態ではない場合、すなわち複数のＵＳＢメモリが装着されていてＵＳＢメモリジョブ受付禁止状態である場合には、上述したＵＳＢ複数装着禁止表示画面が継続して表示されることになる。
【００８８】
したがって、ユーザに対して当該表示画面を表示してＵＳＢメモリの装着の確認を促すことになる。そして、ユーザは、ＵＳＢメモリを１つに装着し直すことにより、ＵＳＢメモリジョブ受付禁止状態をＵＳＢメモリジョブ受付許可状態とし、図８におけるステップＳ３９から次のステップＳ４０に移行することが可能である。
【００８９】
図１１は、本発明の実施の形態１に従うＵＳＢメモリの再書込の選択画面を説明する図である。
【００９０】
図１１を参照して、操作ディスプレイ画面１２０において、ＨＤＤからＵＳＢメモリの再書込の選択を指示する操作ボタン１２１と、キャンセルボタン１２２とが示されている。
【００９１】
図１１において、ＨＤＤからＵＳＢメモリの再書込の選択を指示する操作ボタン１２１の入力指示することによりＨＤＤからＵＳＢメモリへの再書込を実行することが可能である。
【００９２】
再び図８を参照して、再書込の選択指示があるか否かを判断する（ステップＳ４１）。ステップＳ４１において、再書込の選択指示があった場合にはＵＳＢメモリに書込処理を実行する（ステップＳ４２）。そして処理を終了する（エンド）。
【００９３】
一方、再書込の選択指示がなかった場合すなわちキャンセルボタン１２２の操作が実行された場合には、ハードディスクドライブ（ＨＤＤ）に記憶した画像データを消去する処理を実行する（ステップＳ４３）。そして処理を終了する。
【００９４】
当該ＵＳＢメモリスキャン処理においては、ＵＳＢメモリスキャン処理の実行前に複数のＵＳＢメモリが装着されている場合にはＵＳＢメモリスキャン処理の実行を禁止することができる。
【００９５】
また、ＵＳＢメモリスキャン処理実行中において、スキャン処理開始後、複数のＵＳＢメモリが装着された場合には、一旦ＨＤＤにスキャン処理した画像データを記憶させて退避させる。そして、再び、１つのＵＳＢメモリが装着されている状態となった場合に退避させた画像データを当該ＵＳＢメモリに対して書込処理を実行することにより、複数のＵＳＢメモリが装着されている場合に、誤ったＵＳＢメモリに書込処理を実行することを防止することができる。
【００９６】
これによりスキャンした文書情報が複数のＵＳＢメモリのうちの意図しないＵＳＢメモリに書込処理されて第三者に漏洩してしまうという問題を抑制することも可能である。
【００９７】
次に、図５のステップＳ２８におけるＵＳＢメモリプリント処理を実行する場合について説明する。
【００９８】
図１２は、本発明の実施の形態１に従うＵＳＢメモリプリント処理を説明するフロー図である。
【００９９】
まず、ＵＳＢメモリに記憶されているデータの読込処理を実行する（ステップＳ５０）。
【０１００】
そして、次に、印刷モードの選択画面の表示処理を実行する（ステップＳ５１）。
図１３は、本発明の実施の形態１に従う印刷モード選択画面を説明する図である。
【０１０１】
図１３を参照して、操作ディスプレイ画面１２５において「印刷モードを選択して下さい。」の表示とともに印刷ファイル、印刷部数、モードの操作ボタン１２６〜１２８がそれぞれ示されている。
【０１０２】
当該印刷ファイル、印刷部数、モードの操作ボタンを操作することにより、印刷ファイルの指定および印刷部数の設定およびモードの指定例えば片面あるいは両面の設定をユーザ側で選択することが可能である。
【０１０３】
次に印刷ファイルの選択入力があったかどうかを判断する（ステップＳ５２）。一方、印刷ファイルの選択入力が無かった場合には、当該状態を維持する。
【０１０４】
具体的には、ステップＳ５２において、印刷ファイルの選択入力を実行する操作ボタン１２６が指示された場合に、印刷ファイルの選択画面の表示処理を実行する（ステップＳ５３）。
【０１０５】
図１４は、本発明の実施の形態１に従う印刷ファイルの選択画面を説明する図である。
図１４を参照して、操作ディスプレイ画面１３０において、「印刷ファイルを選択して下さい。」の表示とともに、表示領域１３１にＵＳＢコネクタＣＮ１〜ＣＮ３にそれぞれ対応して「ＵＳＢ１」、「ＵＳＢ２」、「ＵＳＢ３」の操作ボタン１４７〜１４９が表示される。なお、本実施の形態１においては、「ＵＳＢ２」、「ＵＳＢ３」の操作ボタン１４８，１４９については選択不能の状態となっているものとする。
【０１０６】
そして、表示領域１３２に当該「ＵＳＢ１」、「ＵＳＢ２」、「ＵＳＢ３」に対応するＵＳＢコネクタに装着されたＵＳＢメモリの一覧ファイルが表示される。
【０１０７】
そして、接続されているＵＳＢメモリに格納されているデータファイルの一例として印刷データ１．ｐｄｆ〜印刷データ４．ｐｄｆが示されており、選択可能なように操作ボタン１４３〜１４６として示されている。
【０１０８】
ここでは、印刷ファイルの選択画面において、当該「ＵＳＢ１」、「ＵＳＢ２」、「ＵＳＢ３」の操作ボタン１４７〜１４９の背景色に関して、「ＵＳＢ１」と、「ＵＳＢ２」および「ＵＳＢ３」は区別して表示されるものとする。具体的には、「ＵＳＢ１」に対して「ＵＳＢ２」および「ＵＳＢ３」の背景色は、一例として反転表示されるものとする。
【０１０９】
当該画面を操作ディスプレイ画面に表示することにより、いずれのＵＳＢメモリから印刷ファイルが出力されるかを操作ディスプレイ画面でユーザが確認しながら操作することが可能であり、ユーザの誤操作により意図しないＵＳＢメモリからの印刷データの選択動作を防止することが可能である。
【０１１０】
再び、図１２を参照して、そして、次に、印刷指示入力があったかどうかを判断する（ステップＳ５４）。ステップＳ５４において、例えばスタートキー等の入力指示に基づく印刷指示入力があった場合には、プリント処理を実行する（ステップＳ５５）。そして終了する（エンド）。
【０１１１】
本実施の形態においては、ＵＳＢメモリを複数装着した場合においては、ＵＳＢメモリスキャン機能の実行を禁止して、ユーザの操作を禁止させることにより、誤ったＵＳＢメモリにデータが書込まれることを防止することができる。あるいは複数装着された場合には、誤ったＵＳＢメモリからの印刷データの読込およびプリント処理を禁止させることができる。
【０１１２】
また、ＵＳＢメモリスキャン機能実行中に複数のＵＳＢメモリが装着されるような場合においては、一旦ＨＤＤに画像データを記憶させる。そして、ユーザの操作により再びＵＳＢメモリが１つだけ装着される状況となった場合、すなわち誤ったＵＳＢメモリに対する処理が行われるおそれがないと判断される状況となった場合に、ＵＳＢメモリに再書込を実行することにより、情報の漏洩という問題を抑制するとともに、スキャン処理のやり直し等の作業効率の低下を抑制することができる。
【０１１３】
（実施の形態２）
上記の実施の形態１においては、主に複数のＵＳＢメモリが装着された場合にＵＳＢメモリプリント／ＵＳＢメモリスキャン等の機能の実行を停止させる場合について説明したが、複数のＵＳＢメモリの中から特定のＵＳＢメモリをユーザが選択した場合においては、当該ＵＳＢメモリプリント／ＵＳＢメモリスキャンを実行させることも可能である。
【０１１４】
本実施の形態２においては、ユーザが複数のＵＳＢメモリから特定のＵＳＢメモリを指定することにより、ＵＳＢメモリプリント／ＵＳＢメモリスキャンの実行を継続させることができる方式について説明する。画像形成装置１の構成等については実施の形態１で説明したのと同様であるのでその詳細な説明は繰り返さない。
【０１１５】
図１５は、本発明の実施の形態２に従うＵＳＢメモリアクセス処理を説明するフロー図である。
【０１１６】
図１５を参照して、図８の本発明の実施の形態１に従うＵＳＢメモリアクセス処理と比較して、ステップＳ２１のＵＳＢメモリ複数装着禁止表示処理をステップＳ６０〜Ｓ６２に置換するとともに、ステップＳ２５のＵＳＢメモリ複数装着禁止表示処理をステップＳ６３〜６５に置換する。また、ステップＳ２７のＵＳＢメモリスキャン処理をステップＳ２７＃のＵＳＢメモリスキャン処理に置換する。
【０１１７】
まず、上述したようにＵＳＢメモリジョブ受付許可状態か否かを判断する（ステップＳ２０）。そして、ステップＳ２０においてＵＳＢメモリジョブ受付許可状態である場合にはステップＳ２２に進む。
【０１１８】
一方、ステップＳ２０において、ＵＳＢメモリジョブ受付許可状態でない場合には、ＵＳＢメモリ選択画面表示処理を実行する（ステップＳ６０）。
【０１１９】
図１６は、本発明の実施の形態２に従うＵＳＢメモリの選択画面を説明する図である。
図１６を参照して、操作ディスプレイ画面１３５において「ＵＳＢメモリを選択して下さい。」とともに、表示領域１３６において、ＵＳＢコネクタが配置される位置をユーザに認識させるためにＭＦＰ１の全体の外観構成モデルの一部分を矩形領域で強調表示した場合が示されている。
【０１２０】
そして、表示領域１３７において、表示領域１３６において表示される矩形領域についてさらに拡大したＵＳＢコネクタの構成モデルが示されている。
【０１２１】
そして、表示領域１３７においては、３つのＵＳＢメモリのいずれかを指定することが可能な操作ボタン１４０〜１４２が示されている。ここでは、複数のＵＳＢコネクタの一例として３つのＵＳＢコネクタが示され、上段、中段、下段にそれぞれ接続されたＵＳＢメモリを選択可能なように操作ボタンが示されている。
【０１２２】
再び図１５を参照して、ＵＳＢメモリの選択指示が有ったかどうかを判断する（ステップＳ６１）。選択指示が無い場合には、再びステップＳ６０に戻ることになる。
【０１２３】
一方、ステップＳ６１において、選択指示があった場合には指示されたＵＳＢメモリを特定する（ステップＳ６２）。具体的には、特定されたＵＳＢメモリに対してジョブを実行するように、ＵＳＢメモリを指定するとともにＵＳＢメモリジョブ受付許可状態に設定する。
【０１２４】
そして、次にステップＳ２２に戻る。ステップＳ２２において、上述したようにＵＳＢメモリジョブ選択表示処理を実行する。
【０１２５】
次に、ＵＳＢメモリジョブ受付許可状態であるかどうかを判断する（ステップＳ２３）。
【０１２６】
ＵＳＢメモリジョブ受付許可状態でないと判断された場合には、ＵＳＢメモリ選択画面表示処理を実行する（ステップＳ６３）。そして、次にＵＳＢメモリ選択指示があったかどうかを判断する（ステップＳ６４）。指示が無ければステップＳ６３に戻る。
【０１２７】
一方、指示がある場合には、ＵＳＢメモリを特定する（ステップＳ６５）。そしてステップＳ２４に進む。ステップＳ６３〜ステップＳ６５の処理については、ステップＳ６０〜ステップＳ６２で説明したのと同様の処理であるのでその詳細な説明は繰り返さない。  
【０１２８】
ここで、例えば、ステップＳ２０において、ＵＳＢメモリジョブ受付許可状態であって、ＵＳＢメモリジョブ選択表示処理（ステップＳ２２）が実行された後に、例えば、複数のＵＳＢメモリが装着された場合においても、ＵＳＢメモリ選択画面表示処理等が実行される。したがって、ユーザに対して当該表示画面を表示してＵＳＢメモリの特定を促すことになる。そして、ユーザは、ＵＳＢメモリを選択して、ＵＳＢメモリを特定することにより、特定されたＵＳＢメモリに対してジョブを実行することが可能となる。
【０１２９】
ステップＳ２４以降の処理については、ステップＳ２７＃のＵＳＢメモリスキャン処理以外図５で説明したのと同様であるのでその詳細な説明は繰り返さない。
【０１３０】
次に、本発明の実施の形態２に従うＵＳＢメモリスキャン処理について説明する。
図１７は、本発明の実施の形態２に従うＵＳＢメモリスキャン処理のフロー図である。
【０１３１】
図１７を参照して、図８で説明した本発明の実施の形態１に従うＵＳＢメモリスキャン処理と比較して、ステップＳ３８およびＳ３９をステップＳ４４〜Ｓ４６に置換した点が異なる。その他の点については同様であるのでその詳細な説明は繰り返さない。
【０１３２】
ＵＳＢメモリジョブ受付許可状態であるかどうかを判断する（ステップＳ３５）。ステップＳ３５において、ＵＳＢメモリジョブ受付許可状態である場合には次にＵＳＢメモリ書込処理を実行する（ステップＳ３６）。
【０１３３】
一方、ステップＳ３５においてＵＳＢメモリジョブ受付許可状態ではない場合には、ハードディスクドライブ（ＨＤＤ）に書込処理を実行する（ステップＳ３７）。
【０１３４】
例えば、スキャン処理中にユーザが、新たなＵＳＢメモリを装着した場合には、ＵＳＢメモリが複数装着された状態となるためスキャンした画像データをいずれのＵＳＢメモリに書き込むか否かの判断ができない可能性がある。したがって、ＵＳＢメモリが複数装着された状態であると判断された場合には、一旦ＨＤＤに画像データを記憶させる方式となっている。そして、後述するがＵＳＢメモリを特定して再書込の指示があった場合には、ＨＤＤから記憶した画像データを出力して、特定されたＵＳＢメモリに対する書込処理を実行することによりスキャン処理のやり直し等の作業効率の低下を抑制することができる。
【０１３５】
次に、図１６に基いて上述したＵＳＢメモリ選択画面表示処理を実行する（ステップＳ４４）。
【０１３６】
そして、ＵＳＢメモリの選択指示が有ったかどうかを判断する（ステップＳ４５）。選択指示が無い場合には、再びステップＳ４４に戻ることになる。
【０１３７】
一方、ステップＳ４５において、選択指示があった場合には指示されたＵＳＢメモリを特定する（ステップＳ４６）。具体的には、上述したように特定されたＵＳＢメモリに対してジョブを実行するように、ＵＳＢメモリを指定するとともにＵＳＢメモリジョブ受付許可状態に設定する。
【０１３８】
そして、上述したＵＳＢメモリ再書込選択画面表示処理を実行する（ステップＳ４０）。以降の処理については図８で説明したのと同様であるので、その詳細な説明は繰返さない。
【０１３９】
なお、ＵＳＢメモリプリント処理については、実施の形態１で説明したのと同様であるのでその詳細な説明は繰り返さない。なお、図１４で説明した印刷ファイル選択画面においては、複数のＵＳＢメモリが装着されている場合には、「ＵＳＢ１」、「ＵＳＢ２」、「ＵＳＢ３」の操作ボタン１４７〜１４９を操作して、表示領域１３２に当該「ＵＳＢ１」、「ＵＳＢ２」、「ＵＳＢ３」にそれぞれ対応するＵＳＢコネクタに装着されたＵＳＢメモリの一覧ファイルをそれぞれ表示するように設定することも可能である。
【０１４０】
また、当該表示に従って、プリント処理する印刷ファイルを選択して指定するように設定することも可能である。
【０１４１】
本発明の実施の形態２に従う方式においては、複数のＵＳＢメモリが装着されている場合には、ＵＳＢメモリ選択画面表示処理を実行して、ユーザが複数のＵＳＢメモリの中から１つのＵＳＢメモリを指定することによりジョブを実行するＵＳＢメモリを特定して、当該ＵＳＢメモリに所定のジョブを実行することが可能であるため、意図しないＵＳＢメモリに対するジョブを実行するという誤動作を防止することが可能である。
【０１４２】
また、ＵＳＢメモリスキャン処理実行中において、スキャン処理開始後、複数のＵＳＢメモリが装着された場合には、一旦ＨＤＤにスキャン処理した画像データを記憶させて退避させる。そして、複数のＵＳＢメモリの中から１つのＵＳＢメモリを指定することにより、退避させた画像データを当該ＵＳＢメモリに対して書込処理を実行することにより、複数のＵＳＢメモリが装着されている場合に、誤ったＵＳＢメモリに書込処理を実行することを防止することができる。
【０１４３】
これによりスキャンした文書情報が複数のＵＳＢメモリのうちの意図しないＵＳＢメモリに書込処理されて第三者に漏洩してしまうという問題を抑制することも可能である。
【０１４４】
（実施の形態３）
上記の実施の形態２においては、複数のＵＳＢメモリが装着された場合に、特定のＵＳＢメモリを指定することにより、当該指定されたＵＳＢメモリに対して所定のジョブすなわちＵＳＢメモリスキャンあるいはＵＳＢメモリプリント機能を実行する方式について説明した。
【０１４５】
本発明の実施の形態３においては、複数のＵＳＢメモリが装着された場合に、ユーザが複数のＵＳＢメモリのうちの指定されたＵＳＢメモリを容易に認識して、操作性を向上させる方式について説明する。複数のＵＳＢメモリが装着された場合に、特定のＵＳＢメモリを指定する方式等については、上記の実施の形態２で説明したのと同様であるのでその詳細な説明は繰り返さない。
【０１４６】
図１８は、本発明の実施の形態３に従うＭＦＰ１♯の概略ブロック図である。
図１８を参照して、本発明の実施の形態３に従うＭＦＰ１♯は、図１で説明したＭＦＰ１と比較して、ＵＳＢコネクタＣＮ１〜ＣＮ３にそれぞれ対応して設けられたＵＳＢメモリ装着部ＬＥＤＣＬＤ１〜ＣＬＤ３とを新たに設けた点と、コントローラ３０をコントローラ３０♯に置換した点と、ＵＳＢメモリ接続部２０をＵＳＢメモリ接続部２０＃に置換した点とが異なる。
【０１４７】
コントローラ３０♯は、パネル制御部７０をパネル制御部７０♯に置換するとともに、ＵＳＢ装着部ＬＥＤ制御部８０をさらに設けた点が異なる。
【０１４８】
パネル制御部７０♯は、ＵＳＢメモリ選択状態管理部７５をさらに含む。
ＵＳＢメモリ選択状態管理部７５は、操作パネル上においてＵＳＢメモリの選択状態を監視し、選択されたＵＳＢメモリの状態をＵＳＢ装着部ＬＥＤ制御部８０に出力する。
【０１４９】
ＵＳＢ装着部ＬＥＤ制御部８０は、ＵＳＢメモリステータス管理部６５からのＵＳＢメモリの装着状態に関する情報とパネル制御部７０♯のＵＳＢメモリ選択状態管理部７５からの情報とに基づいて、ＵＳＢメモリ接続部２０♯を介してＵＳＢ装着部ＬＥＤＣＬＤ１〜ＣＬＤ３の発光制御を実行する。
【０１５０】
図１９は、本発明の実施の形態３に従うＭＦＰ１♯のＵＳＢメモリ装着部ＬＥＤを説明する概略構成図である。
【０１５１】
図１９を参照して、ＵＳＢメモリ装着部ＬＥＤＣＬＤ１〜ＣＬＤ３は、ＵＳＢコネクタＣＮ１〜ＣＮ３にそれぞれ対応して設けられている。そしてＵＳＢメモリＵＭ１〜ＵＭ３がそれぞれＵＳＢコネクタＣＮ１〜ＣＮ３に装着されることが可能な状態となっている。また、ＵＳＢメモリＵＭ１〜ＵＭ３は、それぞれＬＥＤＬＤ１〜ＬＤ３をそれぞれ有する。
【０１５２】
図２０は、本発明の実施の形態３に従うＵＳＢメモリ装着部ＬＥＤ制御部の処理を説明するフロー図である。当該処理は、各ＵＳＢメモリ装着部ＬＥＤＣＬＤ１〜ＣＬＤ３それぞれについて実行するものとする。なお、所定タイミングで定期的に実行されるものとする。
【０１５３】
図２０を参照して、まずＵＳＢメモリ装着状態を確認する（ステップＳ７０）。
そして、次にＵＳＢメモリが装着されているかどうかを判断する（ステップＳ７１）。具体的には、ＵＳＢメモリステータス管理部６５からのＵＳＢメモリの装着状態に関する情報に基いてＵＳＢメモリ装着状態を確認する。
【０１５４】
ステップＳ７１において、ＵＳＢメモリが装着されていると判断された場合にはステップＳ７２に進む。
【０１５５】
一方、ステップＳ７１においてＵＳＢメモリが装着されていないと判断された場合には、ＵＳＢ装着部ＬＥＤを消灯状態とする（ステップＳ７５）。そして処理を終了する。
【０１５６】
一方、ＵＳＢメモリが操作パネル上で選択中状態であるかどうかを判断する（ステップＳ７２）。具体的には、ＵＳＢメモリ選択状態管理部７５からの操作パネル上におけるＵＳＢメモリの選択状態の情報に基づいて判断する。
【０１５７】
ステップＳ７２において、ＵＳＢメモリが操作パネル上で選択中状態である場合には、ＵＳＢ装着部ＬＥＤを点滅状態とする（ステップＳ７３）。そして処理を終了する。
【０１５８】
一方、ステップＳ７２において、ＵＳＢメモリが操作パネル上で選択中状態ではない場合には、ＵＳＢ装着部ＬＥＤを点灯状態とする（ステップＳ７４）。そして処理を終了する。
【０１５９】
したがって、当該制御処理により特定されたＵＳＢメモリが操作パネル上で選択された場合においては、対応するＵＳＢ装着部ＬＥＤが点滅状態となるため、ユーザは操作しながら点滅しているＵＳＢ装着部ＬＥＤを確認することによって、自分が選択したＵＳＢメモリが意図したＵＳＢメモリかどうか容易に確認することが可能であり、誤操作を防止して、操作パネル上でのＵＳＢメモリの選択の際の操作性を向上させることが可能である。
【０１６０】
（実施の形態３の変形例）
上記の実施の形態３においては、新たにＵＳＢ装着部ＬＥＤを設けて、ユーザの操作性を向上させて誤操作を防止する方式について説明したが、ＵＳＢ装着部ＬＥＤを設けずに操作性を向上させることも可能である。
【０１６１】
具体的には、ＵＳＢメモリＵＭ１〜ＵＭ３にそれぞれ予め装着されているＬＥＤＬＤ１〜ＬＤ３について発光制御することによって同様の動作を実現することができる。
【０１６２】
図２１は、本発明の実施の形態３の変形例に従うＭＦＰ１ａを説明する概略ブロック図である。
【０１６３】
図２１を参照して、本発明の実施の形態３に従うＭＦＰ１ａは、図１８で説明したＭＦＰ１♯と比較して、ＵＳＢ装着部ＬＥＤ制御部８０をＵＳＢメモリＬＥＤ制御部８５に置換した点が異なる。またＵＳＢ装着部ＬＥＤＣＬＤ１〜ＣＬＤ３を削除するとともにＵＳＢメモリ接続部２０に置換した点が異なる。
【０１６４】
図２２は、本発明の実施の形態３の変形例に従うＵＳＢメモリＬＥＤ制御部の処理を説明する図である。なお、所定タイミングで定期的に実行されるものとする。
【０１６５】
図２２を参照して、当該処理は、ＵＳＢメモリＵＭ１〜ＵＭ３が装着されている場合にはそれぞれについて実行するものとする。
【０１６６】
まずＵＳＢメモリ装着状態を確認する（ステップＳ８０）。
そして、次にＵＳＢメモリが装着されているかどうかを判断する（ステップＳ８１）。具体的には、ＵＳＢメモリステータス管理部６５からのＵＳＢメモリの装着状態に関する情報に基いてＵＳＢメモリ装着状態を確認する。
【０１６７】
ステップＳ８１において、ＵＳＢメモリが装着されていると判断された場合にはステップＳ８２に進む。
【０１６８】
一方、ステップＳ８１においてＵＳＢメモリが装着されていないと判断された場合には、ＵＳＢメモリのＬＥＤを消灯状態とする（ステップＳ８５）。そして処理を終了する。
【０１６９】
一方、ステップＳ８０においてＵＳＢメモリが操作パネル上で選択中状態であるかどうかを判断する（ステップＳ８２）。具体的には、ＵＳＢメモリ選択状態管理部７５からの操作パネル上におけるＵＳＢメモリの選択状態の情報に基づいて判断する。
【０１７０】
ステップＳ８２において、ＵＳＢメモリが操作パネル上で選択中状態である場合には、ＵＳＢメモリのＬＥＤを点滅状態とする（ステップＳ８３）。そして処理を終了する。
【０１７１】
一方、ステップＳ８２において、ＵＳＢメモリが操作パネル上で選択中状態ではない場合には、ＵＳＢメモリのＬＥＤを点灯状態とする（ステップＳ８４）。そして処理を終了する。
【０１７２】
したがって、当該制御処理により特定されたＵＳＢメモリが操作パネル上で選択された場合においては、対応するＵＳＢメモリのＬＥＤが点滅状態となるため、ユーザは操作しながら点滅しているＵＳＢメモリのＬＥＤを確認することによって、自分が選択したＵＳＢメモリが意図したＵＳＢメモリかどうか容易に確認することが可能であり、誤操作を防止して、操作パネル上でのＵＳＢメモリの選択の際の操作性を向上させることが可能である。また、新たにＵＳＢ装着部ＬＥＤを設ける構成ではなく、予め設けられているＵＳＢメモリのＬＥＤを発光制御するためレイアウトの問題を考える必要が無く、またコスト的にも有利である。
【０１７３】
なお、本発明にかかる画像形成装置はＭＦＰに限定されず、画像形成装置であれば、プリンタやファクシミリ装置等であってもよい。なお、画像形成装置を制御するコントローラについて、コンピュータを機能させて、上述のフローで説明したような制御を実行させるプログラムを提供することもできる。このようなプログラムは、コンピュータに付属するフレキシブルディスク、ＣＤ−ＲＯＭ（Compact Disk-Read Only Memory）、ＲＯＭ（Read Only Memory）、ＲＡＭ（Random Access Memory）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１７４】
なお、本発明にかかるプログラムは、コンピュータのオペレーションシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０１７５】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０１７６】
提供されるプログラム製品は、ハードディスクなどのプログラム格納部にインストール
されて実行される。なお、プログラム製品は、プログラム自体と、プログラムが記録された記録媒体とを含む。
【０１７７】
なお、着脱式記憶装置の一例として本例においてはＵＳＢメモリについて説明したが、特にＵＳＢメモリに限られず、例えばＳＤカード等の他の補助記憶装置についても同様に適用可能である。
【０１７８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【０１７９】
【図１】本発明の実施の形態１に従う画像形成装置であるＭＦＰ１の概略ブロック図である。
【図２】本発明の実施の形態１に従うＭＦＰ１の外観構成図の模式図である。
【図３】本発明の実施の形態１に従うＵＳＢメモリステータス管理部６５において、ＵＳＢの装着状態を管理する処理を説明するフロー図である。
【図４】本発明の実施の形態１に従うジョブ制御部５０において、ＵＳＢメモリの装着状態を監視する処理を説明するフロー図である。
【図５】本発明の実施の形態１に従うＵＳＢメモリアクセス処理を説明するフロー図である。
【図６】本発明の実施の形態１に従うＵＳＢメモリのジョブ選択の表示画面を説明する図である。
【図７】本発明の実施の形態１に従うＵＳＢメモリの複数の装着の禁止を示す表示画面を説明する図である。
【図８】本発明の実施の形態１に従うＵＳＢメモリスキャン処理について説明するフロー図である。
【図９】本発明の実施の形態１に従うスキャンモードの選択画面を説明する図である。
【図１０】本発明の実施の形態１に従う操作ディスプレイ画面１１５においてスキャン中画面を説明する図である。
【図１１】本発明の実施の形態１に従うＵＳＢメモリの再書込の選択画面を説明する図である。
【図１２】本発明の実施の形態１に従うＵＳＢメモリプリント処理を説明するフロー図である。
【図１３】本発明の実施の形態１に従う印刷モード選択画面を説明する図である。
【図１４】本発明の実施の形態１に従う印刷ファイルの選択画面を説明する図である。
【図１５】本発明の実施の形態２に従うＵＳＢメモリアクセス処理を説明するフロー図である。
【図１６】本発明の実施の形態２に従うＵＳＢメモリの選択画面を説明する図である。
【図１７】本発明の実施の形態２に従うＵＳＢメモリスキャン処理のフロー図である。
【図１８】本発明の実施の形態３に従うＭＦＰ１♯の概略ブロック図である。
【図１９】本発明の実施の形態３に従うＭＦＰ１♯のＵＳＢメモリ装着部ＬＥＤを説明する概略構成図である。
【図２０】本発明の実施の形態３に従うＵＳＢメモリ装着部ＬＥＤ制御部の処理を説明するフロー図である。
【図２１】本発明の実施の形態３の変形例に従うＭＦＰ１ａを説明する概略ブロック図である。
【図２２】本発明の実施の形態３の変形例に従うＵＳＢメモリＬＥＤ制御部の処理を説明する図である。
【符号の説明】
【０１８０】
１，１＃，１ａ  ＭＦＰ、５  スキャナ部、１０  ＨＤＤ、１５  プリンタ部、２０，２０＃  ＵＳＢメモリ接続部、２５  操作パネル部、３０，３０＃，３０ａ  コントローラ、３５  スキャナ制御部、４０  画像制御部、４５  プリンタ制御部、５０  ジョブ制御部、５５  画像変換部、６０  ＵＳＢ制御部、６５  ＵＳＢメモリステータス管理部、７０，７０＃  パネル制御部、７５  ＵＳＢメモリ選択状態管理部、８０  ＵＳＢ装着部ＬＥＤ制御部、８５  ＵＳＢメモリＬＥＤ制御部、ＣＮ１〜ＣＮ３  ＵＳＢコネクタ、ＣＬＤ１〜ＣＬＤ３  ＵＳＢ装着部ＬＥＤ。
【図１】
2009021948.tif 000003
【図２】
2009021948.tif 000004
【図３】
2009021948.tif 000005
【図４】
2009021948.tif 000006
【図５】
2009021948.tif 000007
【図６】
2009021948.tif 000008
【図７】
2009021948.tif 000009
【図８】
2009021948.tif 000010
【図９】
2009021948.tif 000011
【図１０】
2009021948.tif 000012
【図１１】
2009021948.tif 000013
【図１２】
2009021948.tif 000014
【図１３】
2009021948.tif 000015
【図１４】
2009021948.tif 000016
【図１５】
2009021948.tif 000017
【図１６】
2009021948.tif 000018
【図１７】
2009021948.tif 000019
【図１８】
2009021948.tif 000020
【図１９】
2009021948.tif 000021
【図２０】
2009021948.tif 000022
【図２１】
2009021948.tif 000023
【図２２】
2009021948.tif 000024